(57)【要約】【課題】湿潤感を軽減可能な使い捨ての体液吸収性着用物品。【解決手段】使い捨ての体液吸収性着用物品の股下域が液透過性シート２と液不透過性シート３とこれら両シート２，３間に介在する液吸収性の芯材４とを含む。液透過性シート２において芯材４に対向する面の反対側である非対向面２ａが液透過性の被覆シート５によって覆われる。被覆シート５は前後方向へ平行して延びる複数条の山部３４と谷部３６とを有する。被覆シート５はまた、股下域６の幅方向Ｂの非対向面２ａに接合している中央域４１と、中央域４１の両側それぞれの外側にあって非対向面２ａに対して非接合状態にある側域４２とを有する。側域４２は、少なくとも一条の谷部３６と、谷部３６よりも幅方向Ｂの外側に位置する少なくとも一条の山部３４とを含む。【選択図】図２
2010119460.tif 000002
【特許請求の範囲】
【請求項１】
前後方向とこれに直交する横方向とを有し、前記前後方向には股下域と前記股下域の前方に位置する前胴周り域と前記股下域の後方に位置する後胴周り域とが形成されており、これら各域のうちの少なくとも前記股下域には液透過性シートと液不透過性シートとこれら両シートの間に介在する液吸収性の芯材とが含まれており、前記液透過性シートは前記芯材と向かい合う対向面と前記対向面の反対面である非対向面とを有し、前記非対向面の少なくとも一部分が熱可塑性合成繊維を含む不織布で形成された透液性の被覆シートによって覆われている使い捨ての体液吸収性着用物品であって、
前記液透過性シートは、前記非対向面が平坦なものであり、
前記被覆シートは、前記着用物品の着用者の肌と向かい合う表面と前記液透過性シートの前記非対向面と向かい合う裏面とを有し、前記表面には前記前後方向へ互いに平行して延びていて前記幅方向において交互に現われる山部と谷部とのそれぞれが複数条形成されていて、前記裏面は平坦に形成されており、前記股下域における前記幅方向には前記裏面が前記液透過性シートの前記非対向面に接合している中央域と、前記中央域の両側それぞれの外側にあって前記裏面が前記非対向面に対して非接合状態にある側域とを有し、
前記側域は、少なくとも一条の前記谷部と前記谷部よりも前記横方向の外側に位置する少なくとも一条の前記山部とを含んでいて、前記液透過性シートの厚さ方向において前記非対向面から離間することが可能であることを特徴とする前記着用物品。
【請求項２】
前記不織布は、前記谷部における前記幅方向の中央部分の密度が前記山部における前記幅方向の中央部分の密度よりも低いものである請求項１記載の着用物品。
【請求項３】
前記股下域の前記前後方向における中央において、前記被覆シートが前記芯材の前記幅方向の両側縁にまで広がっていて、前記被覆シートの前記側域における前記幅方向の寸法が１０〜５０ｍｍの範囲にある請求項１または２記載の着用物品。
【請求項４】
前記股下域の前記前後方向における中央において、前記被覆シートの前記側域が前記芯材の前記幅方向の両側縁よりも内側にある請求項１または２記載の着用物品。
【請求項５】
前記股下域における前記幅方向の両側部分には、前記前後方向へ弾性的に伸長・収縮可能に延びていて前記着用者の脚周りに弾性的に接触可能な防漏堤が形成され、前記前後方向における前記防漏堤の両端部と前記被覆シートにおける前記側域の前記前後方向における両端部とが接合している請求項１〜４のいずれかに記載の着用物品。
【請求項６】
前記被覆シートは、前記中央域が親水性であり、前記側域が疎水性である請求項１〜５のいずれかに記載の着用物品。
【発明の詳細な説明】
【技術分野】
【０００１】
この発明は、使い捨ての体液吸収性着用物品に関し、より詳しくは着用しているときの湿潤感を軽減可能な前記体液吸収性着用物品に関する。
【背景技術】
【０００２】
尿等の排泄物を吸収させるための使い捨ての体液吸収性着用物品において、透液性表面シートと着用物品着用者の肌との接触面積を小さくすることによって、表面シートが肌に接触したときに生じる湿潤感を軽減にしようとするものは公知である。例えば、特開２００８−２５０７９号公報（ＪＰ２００８−２５０７９Ａ、特許文献１）の図１７に記載されたおむつでは、透液性表面シートとして、表面シートの肌接触面に互いに平行して前後方向へ延びるとともに横方向において交互に現れる複数条の山部と谷部とを有する不織布が使用されている。このおむつが着用されると、表面シートは山部において肌に接触する一方、谷部においては肌から離間することが可能になる。
【０００３】
また、特開平５−５９６０１号公報（ＪＰ０５−５９６０１Ａ、特許文献２）に記載のトレニングパンツでは、透液性内面シートの表面の少なくとも中央域に湿潤保持シートが設けられている。その湿潤保持シートは、内面シートに対して、部分的に接合されているとともに部分的に浮き上がっている。このトレニングパンツでは、湿潤保持シートの浮き上がり部分に吸収された排泄液のほとんどがコアに吸収されることなく、浮き上がり部分に残留する。その浮き上がり部分は、トレニングパンツを着用している幼児の肌に接触して不快感を与えるので、幼児には尿意のあることを他人に知らせる習慣が付く。
【特許文献１】特開２００８−２５０７９号公報
【特許文献２】特開平５−５９６０１号公報
【発明の開示】
【発明が解決しようとする課題】
【０００４】
特許文献１に記載のおむつでは、おむつの両側部分に表面シートとは別体のシート片によって周知の防漏堤を作ろうとするときに、そのシート片を表面シートの肌接触面に接合しようとしても、肌接触面は山部と谷部とが形成されていて平坦ではないから速やかに接合することが難しいという場合がある。また、おむつを着用したときに、股下域よりも幅の広い胴周り域の側部において上下方向に延びている谷部は、体液が下方に向かって流れ易く、体液漏れの原因になるという場合もある。
【０００５】
特許文献２に例示のトレニングパンツは、湿潤保持シートが内面シートの表面の中央域にのみ接合されているものであって、湿潤保持シートの内面シートに対する接合態様の一例を教示してはいるが、その湿潤保持シートは部分的に内面シートから浮き上がっており、そこには排泄液が残留する。つまり、このトレニングパンツの湿潤保持シートは、着用者にとって湿潤感が増大するように作用するものであって、湿潤感を軽減するように作用するものではない。
【０００６】
この発明が課題とするところは、着用時における湿潤感の軽減と体液の漏れ防止とに優れた使い捨ての体液吸収性着用物品を提供することにある。
【課題を解決するための手段】
【０００７】
前記課題を解決するためにこの発明が対象とするのは、前後方向とこれに直交する横方向とを有し、前記前後方向には股下域と前記股下域の前方に位置する前胴周り域と前記股下域の後方に位置する後胴周り域とが形成されており、これら各域のうちの少なくとも前記股下域には液透過性シートと液不透過性シートとこれら両シートの間に介在する液吸収性の芯材とが含まれており、前記液透過性シートは前記芯材と向かい合う対向面と前記対向面の反対面である非対向面とを有し、前記非対向面の少なくとも一部分が熱可塑性合成繊維を含む不織布で形成された透液性の被覆シートによって覆われている使い捨ての体液吸収性着用物品である。
【０００８】
かかる着用物品において、この発明が特徴とするところは、以下のとおりである。前記液透過性シートは、前記非対向面が平坦なものである。前記被覆シートは、前記着用物品の着用者の肌と向かい合う表面と前記液透過性シートの前記非対向面と向かい合う裏面とを有し、前記表面には前記前後方向へ互いに平行して延びていて前記幅方向において交互に現われる山部と谷部とのそれぞれが複数条形成されていて、前記裏面は平坦に形成されており、前記股下域における前記幅方向には前記裏面が前記液透過性シートの前記非対向面に接合している中央域と、前記中央域の両側それぞれの外側にあって前記裏面が前記非対向面に対して非接合状態にある側域とを有する。前記側域は、少なくとも一条の前記谷部と前記谷部よりも前記横方向の外側に位置する少なくとも一条の前記山部とを含んでいて、前記液透過性シートの厚さ方向において前記非対向面から離間することが可能である。
【０００９】
この発明の実施形態の一つにおいて、前記不織布は、前記谷部における前記幅方向の中央部分の密度が前記山部における前記幅方向の中央部分の密度よりも低いものである。
【００１０】
この発明の実施形態の他の一つにおいて、前記股下域の前記前後方向における中央において、前記被覆シートが前記芯材の前記幅方向の両側縁にまで広がっていて、前記被覆シートの前記側域における前記幅方向の寸法が１０〜５０ｍｍの範囲にある。
【００１１】
この発明の実施形態の他の一つにおいて、前記股下域の前記前後方向における中央において、前記被覆シートの前記側域が前記芯材の前記幅方向の両側縁よりも内側にある。
【００１２】
この発明の実施形態の他の一つにおいて、前記股下域における前記幅方向の両側部分には、前記前後方向へ弾性的に伸長・収縮可能に延びていて前記着用者の脚周りに弾性的に接触可能な防漏堤が形成され、前記前後方向における前記防漏堤の両端部と前記被覆シートにおける前記側域の前記前後方向における両端部とが接合している。
【００１３】
この発明の実施形態のさらに他の一つにおいて、前記被覆シートは、前記中央域が親水性であり、前記側域が疎水性である。
【発明の効果】
【００１４】
この発明に係る使い捨ての体液吸収性着用物品において、透液性の被覆シートは、肌に接触する表面に互いに平行して前後方向へ延びる山部と谷部とを有するから、表面が平坦である場合の被覆シートに比べて肌に対する接触面積が少なく、体液で濡れている被覆シートが肌に接触して生じる湿潤感を軽減することができる。この発明における被覆シートはまた、裏面が平坦であって、中央域における裏面が液透過性シートの平坦な非対向面に対して接合しているから、体液は被覆シートの山部と谷部とから液透過性シートへと移動し、さらに芯材へと速やかに移動することが可能であって、着用物品は体液の吸収が速やかで体液の漏れ防止効果の高いものになる。加えて、被覆シートは、側域がその下方にある液透過性シートの非対向面に対して離間可能であるから、その側域では芯材から肌への体液の逆流が抑えられ、逆流した体液によって肌を濡らすことが少なくなる。側域が、芯材の側縁にまで広がっている態様および芯材の側縁よりも内側にある態様では、被覆シートが存在していても防漏堤を作ることが容易である。
【発明を実施するための最良の形態】
【００１５】
この発明に係る使い捨ての体液吸収性着用物品として使い捨てのおむつを例にとり、その詳細を説明すると、以下のとおりである。
【００１６】
図１は、使い捨ておむつ１の部分破断平面図である。おむつ１は、液透過性のトップシート２と、液不透過性のバックシート３と、これら両シート２，３の間に介在する体液吸収性芯材４とを有し、トップシート２の一部分はホットメルト接着剤４３を介して取り付けられた液透過性の被覆シート５によって覆われている。トップシート２とバックシート３とは、芯材４の周縁から延出して重なり合う部分においてホットメルト接着剤（図示せず）を介して接合している。おむつ１はまた、互いに直交する前後方向Ａと、幅方向Ｂと、厚さ方向Ｃ（図２参照）とを有し、前後方向Ａには、股下域６と、股下域６の前方に位置する前胴周り域７と、股下域６の後方に位置する後胴周り域８とが形成されている。股下域６の両側縁部１１は幅方向Ｂの内側に向かって凸となるように湾曲しており、その両側縁部１１におけるトップシート２とバックシート３との間には脚周り弾性部材１２が伸長状態で延びていて、これら両シート２，３の少なくとも一方にホットメルト接着剤（図示せず）を介して接合している。後胴周り域８の両側縁部１３には、前後胴周り域７，８を連結するためのファスニングテープ１４が取り付けられている。前後胴周り域７，８の端縁部１７，１８におけるトップシート２とバックシート３との間には胴周り弾性部材７ａ，８ａが伸長状態で幅方向Ｂへ延びていて、これら両シート２，３の少なくとも一方にホットメルト接着剤（図示せず）を介して接合している。被覆シート５は、おむつ１の幅を二等分する前後方向中心線Ｐ−Ｐに関して対称となるようにトップシート２に取り付けられていて、端縁部１７と端縁部１８との間に延びている。
【００１７】
図２は、図１のＩＩ−ＩＩ線に沿う切断面を示す図であって、ＩＩ−ＩＩ線はおむつ１の前後方向Ａの寸法を二等分する横方向中心線Ｑ−Ｑに一致している。図２において、トップシート２は芯材４と向かい合う対向面２ｂとその反対面である非対向面２ａとを有し、非対向面２ａは平坦に形成されている。芯材４は粉砕パルプや高吸水性ポリマー粒子等の吸液性材料２１の集合体をティシューペーパ等の液透過性シート２２で包むことにより形成されている。被覆シート５は、厚さ方向Ｃにおむつ着用者の肌（図示せず）に接触する表面３１と、表面シート２の非対向面２ａと向かい合う裏面３２とを有し、幅方向Ｂには中央域４１と両側域４２とを有する。表面３１は、肌に向かって凸となって前後方向Ａへ延びる山部３４と、凹となって前後方向Ａへ延びる谷部３６とを有し、これら山部３４と谷部３６とが幅方向Ｂにおいて交互に現れるように複数条ずつ形成されている（図３，４参照）。裏面３２のうちで、中央域４１における裏面３２はトップシート２の非対向面２ａに対してホットメルト接着剤４３を介して接合しており、両側域４２のそれぞれにおける裏面３２は非対向面２ａに対して非接合状態にあって、非対向面２ａから離間可能である。ホットメルト接着剤４３は、被覆シート５とトップシート２とに対してそれらの透液性を実質的な意味において妨げることがないように間欠的に塗布されている。図示例において、両側域４２のそれぞれは、芯材４の側縁４ａよりも内側にある。
【００１８】
図３，４は、おむつ１を着用するときのトップシート２と被覆シート５との動きを例示する図２と同様な図である。図３において、おむつ１が例えば体圧を受けて股下域６の側縁部１１が芯材４とともに厚さ方向Ｃの下方に向かって湾曲すると、図２においてほぼ水平であったトップシート２も同じように湾曲する。しかし、被覆シート５の側域４２は、水平な状態またはそれに近い状態を維持してその非対向面２ａから離間することが可能である。また、図４に示されているように側域４２に横方向の力Ｆが加わるときには、側域４２がカールしたり折れ曲がったりするように変形して非対向面２ａから離間することが可能である。側域４２は、このように水平な状態を維持したり、カールしたりすることが容易となるように、山部３４と谷部３６とを少なくとも一条ずつ含んでいる。山部３４は、側域４２において剛性の高い部分となって、側域４２を水平な状態に維持するように作用することが可能である。谷部３６は、側域４２において剛性の低い部分となって、側域４２が幅方向Ｂにおいてカールしたり折れ曲がったりすることを容易にする。おむつ１の股下域６において、図３，４が示すように非対向面２ａから離間した側域４２は、非対向面２Ａよりも肌に接近した位置にあって、湿潤状態にある非対向面２ａが肌に触れることを防ぐことができる。
【００１９】
図５，６は、被覆シート５として使用されるシート片５１の部分斜視図と、シート片５１の端面を部分的に示す図である。シート片５１は、６０〜１００重量％の熱可塑性合成繊維５２と、４０〜０重量％の天然繊維またはレーヨン繊維等の半合成繊維とからなる親水性繊維（図示せず）を含み、２０〜１００ｇ／ｍ２の坪量を有する不織布で形成されているもので、図示例では熱可塑性合成繊維５２が１００重量％の場合の不織布が使用されている。シート片５１はまた、それを使用するときにおむつ１の前後方向Ａに一致させる第１方向Ｌと、幅方向Ｂに一致させる第２方向Ｍと、厚さ方向Ｃに一致させる第３方向Ｎとを有している。シート片５１の上面５１ａは、被覆シート５の表面３１となる部分であり、下面５１ｂは被覆シート５の裏面３２となる部分であって、上面５１ａには図２における山部３４と谷部３６とが形成され、下面５１ｂが平坦に形成されている。複数条の山部３４は高さがほぼ同じものであって、シート片５１は山部３４の頂部において厚さｊを有する。複数条の谷部３６は山部３４の頂部からの深さがほぼ同じものであって、シート片５１は谷部３６の底部において厚さｋを有する。好ましいシート片５１において、厚さｋは厚さｊの１／３を超えることがなく、厚さｊは１．５〜５ｍｍの範囲にあり、シート片５１の第２方向Ｍにおける長さ１０ｍｍに対して、山部３４が２〜５条形成される。シート片５１には、図２における中央域４１となる部分４１ａと両側域４２となる部分４２ａとが含まれている。シート片５１は、それを透液性が良好なものとするために、部分４１ａと部分４２ａとのうちの少なくとも部分４１ａにおける熱可塑性合成繊維５２が親水化処理されている。シート片５１のうちの部分４２ａにおいては、熱可塑性合成繊維５２が親水化処理されているものであってもよいが、部分４２ａが側域４２として使用されたときに体液で簡単に濡れることがないようにするために、熱可塑性合成繊維５２は親水化処理されることなく疎水性のものとして使用されるかまたは撥水化処理されて使用されていることが好ましい。
【００２０】
シート片５１ではまた、それが図４に示されるように変形することを容易にするために、谷部３６における密度を山部３４における密度よりも低くしたり、谷部３６における密度と山部３４における密度とが同じではあるが谷部３６の厚さｋの値を山部３４における厚さｊの値よりも小さくしたりすることができる。ただし、図示例のシート片５１は、谷部３６の密度が山部３４の密度よりも低く、したがって第２方向Ｍにおいて、密度の低い部分と密度の高い部分とが交互に現れるように作られている。シート片５１において、山部３４の密度と谷部３６の密度とは、次のようにして比較される。すなわち、図４のシート片５１を水平面の上に置いて断面の拡大写真を撮り、その写真から、山部３４において厚さｊの頂部を通る垂線Ｒ１を求め、その垂線Ｒ１を横切る熱可塑性合成繊維５２の本数Ｑ１を計測する。次に、谷部３６において厚さｋの底部を通る垂線Ｒ２を求め、その垂線Ｒ２を横切る熱可塑性合成繊維５２の本数Ｑ２を計測する。その後に、本数Ｑ１と厚さｊとの比（Ｑ１／ｊ）を求めて山部３４の密度とし、本数Ｑ２と厚さｋとの比（Ｑ２／ｋ）を求めて谷部３６の密度とする。
【００２１】
このように形成されている図１のおむつ１を着用するときには、被覆シート５のうちの山部３４が肌に接触する一方、谷部３６が肌から離間することによって、トップシート２が直接肌に接触する場合よりも肌との接触面積が少なくなり、おむつ１が湿潤状態にあるときに生じる湿潤感を軽減することが可能になる。また、図示例の如く被覆シート５が前胴周り域７の端縁部１７から後胴周り域８の端縁部１８にまで延びていると、谷部３６と肌との間に形成される間隙が通気路となって、おむつ１がその前後において大気に開放された状態になるので、おむつ１は内外の通気性が良好になる。ただし、この発明は、被覆シート５が端縁部１７，１８のいずれかまたは両方に届くことのない態様で実施することもできる。被覆シート５に向かって排泄された体液は、被覆シート５のうちの中央域４１からトップシート２を通過して、芯材４に吸収される。体液の一部には、被覆シート５において幅方向Ｂへ拡散するものや、トップシート２において幅方向Ｂへ拡散するものがあり得る。しかし、被覆シート５の山部３４における密度が谷部３６における密度よりも高い場合の被覆シート５では、谷部３６が被覆シート５における体液の幅方向Ｂへの拡散を抑えて、股下域６の両側縁部１１において肌が体液で汚れることを防ぐことができる。加えて、おむつ１の着用中に芯材４に体圧がかかると、芯材４に吸収されていた体液が芯材４から被覆シート５に向かって逆流して肌を濡らすことがあるが、被覆シート５の両側域４２は、トップシート２に接合しておらず図３，４に示されるようにトップシート２から離間する傾向にあるので、芯材４からトップシート２にまで逆流してきた体液は、中央域４１においては比較的容易に被覆シート５に移行しても、両側域４２では被覆シート５に移行することが難しくなる。それゆえ、両側域４２は、逆流した体液で湿潤状態になるということが少なくなり、両側域４２で肌を濡らすということがない。特に、両側域４２において、熱可塑性合成繊維５２が疎水性または撥水性の状態にあるときには、体液で両側域４２が湿潤状態になるということがなく、肌を濡らすことがないという効果が一層向上する。両側域４２はまた、被覆シート５とトップシート２とを接合しているホットメルト接着剤４３を覆い隠すことのできる柔軟な部分であって、おむつ１の着用中に接着剤４３が肌に触れて刺激を与えることを防いでいる。図示例の被覆シート５はまた、股下域６の両側縁部１１よりも内側において前後方向Ａへ延びるものであるから、おむつ１を着用したときに体液が谷部３６に沿って流れても、その体液がおむつ１の外へ向かって流れるということは生じ難い。
【００２２】
おむつ１の被覆シート５として使用するシート片５１の製造方法の一例は、次のとおりである。まず、熱可塑性合成繊維５２で形成された一様な厚さのカードウエブを機械方向へ走行させながら機械方向に対する交差方向に所要のピッチで配置された複数のノズルから加熱空気または柱状水流をカードウエブの片面に対して噴射する。カードウエブは、通気性または通水性のベルトに載せて、そのベルトとともに機械方向へ走行させる。ノズルのピッチは、シート片５１における谷部３６のピッチに一致させておく。そのカードウエブでは、ノズルの直下で熱可塑性合成繊維５２が交差方向へ移動することにより、密度の低い谷部３６が形成され、隣り合うノズルとノズルとの間に密度の高い山部３４が形成される。熱可塑性合成繊維５２には、ポリエチレンやナイロン、ポリエステル等の繊維やポリエチレンとナイロンまたはポリエステルとの複合繊維等が使用される。おむつ１のトップシート２には、熱可塑性合成繊維で形成された不織布や開孔プラスチックフィルム等を使用することができる。バックシート３には、プラスチックフィルムやプラスチックフィルムと不織布とのラミネートシート等を使用することができる。芯材４には、粉砕パルプや高吸水性ポリマー粒子等の吸液性材料を単独で使用したり、混合して使用したりすることができる。その吸液性材料は、ティシューペーパ等の液透過性であってかつ拡散性のよいシートで被覆しておくことが好ましい。
【００２３】
図７は、実施形態の一例を示す図２と同様な図である。図７のおむつ１では、被覆シート５の側域４２が芯材４の側縁４ａにまで届くように、または側縁４ａを越えるように横方向Ｂへ広がっている。このようなおむつ１は、図２のおむつ１と同様な作用効果を有することに加えて、次のような作用効果を有する。すなわち、芯材４に吸収されている体液が表面シート２にまで逆流してくるとか、被覆シート５の中央域４１において排泄された体液が表面シート２や芯材４に吸収された後に芯材４の側縁４ａに届くほどにまで横方向Ｂへ拡散してくることがあっても、側縁４ａが被覆シート５の側域４２で覆われているので、側縁４ａとその近傍に含まれる体液で肌を濡らすということがない。このように作用する側域４２は、おむつ１の大きさにもよるが、横中心線Ｑ−Ｑ上において、１０〜５０ｍｍの寸法を有していることが好ましい。
【００２４】
図８，９は、この発明の実施形態の一例を示す図１と同様な図と、図８のＩＸ−ＩＸ線切断面を示す図である。図８のおむつ１では、股下域６の両側縁部１１に防漏堤８０が形成されている。防漏堤８０は、プラスチックフィルムや不織布等であって実質的に液不透過性であるシート片によって形成されているもので、外側縁部８２と前端部８３と後端部８４とがこれらと重なり合うトップシート２または被覆シート５に対してホットメルト接着剤８５を介して接合している。防漏堤８０の内側縁部８１には、前後方向Ａへ伸長状態で延びる弾性部材８６が伸長・収縮可能に取り付けられている。防漏堤８０において、そのシート片が実質的に液不透過性であるとは、シート片が防漏堤８０として必要とされる最小限度の液不透過性かそれよりも優れた液不透過性を有していることを意味している。
【００２５】
かような防漏堤８０は、図８，９において被覆シート５の上に倒伏した状態にあるが、おむつ１が着用されて前後方向Ａにおいて湾曲すると弾性部材８６が収縮し、図９に仮想線で示されているように内側縁部８１が被覆シート５から着用者の肌（図示せず）に向かって起立し、体液の横方向Ｂへの流れを止めて股下域６においての体液の横漏れを防ぐことができる。また、被覆シート５における側域４２は、倒伏した状態にある防漏堤８０の内側縁部８１に対してその下側に位置しており、起立した状態にある内側縁部８１に対してもその下側においてトップシート２から離間するように動くことができる（図９参照）。それゆえ、防漏堤８０の内側縁部８１は、被覆シート５の側域４２と干渉し合うことなく、起立することができる。その被覆シート５は、幅方向Ｂの寸法がトップシート２の幅方向Ｂの寸法よりも小さく作られているのみならず、一対の防漏堤８０の外側縁部８２間の寸法よりも小さく作られているから、防漏堤８０を形成するシート片をおむつ１に取り付けるときに、被覆シート５は邪魔になるということがない。また、このおむつ１では、防漏堤８０の前後端部８３，８４の近傍において、内側縁部８１と、それが重なる被覆シート５の側域４２における前後端部４５，４６とをホットメルト接着剤８７によって接合することができる。このような状態にある防漏堤８０は、内側縁部８１が起立するときに、被覆シート５の側域４２の少なくとも一部分をトップシート２から離間させるように作用する。
【００２６】
これまでに図示したおむつ１は開放型のものであったが、この発明はパンツ型のおむつで実施することも可能である。また、おむつ１を例にとって説明したこの発明は、生理用ナプキン等の使い捨ての体液吸収性物品で実施することもできる。
【図面の簡単な説明】
【００２７】
【図１】使い捨ておむつの部分破断平面図。
【図２】図１のＩＩ−ＩＩ線切断面を拡大して示す図。
【図３】実施形態の一例を示す図２と同様な図。
【図４】実施形態の一例を示す図２と同様な図。
【図５】シート片の部分斜視図。
【図６】シート片の部分端面図。
【図７】実施形態の一例を示す図２と同様な図。
【図８】実施形態の一例を示す図１と同様な図。
【図９】図８のＩＸ−ＩＸ線切断面を示す図。
【符号の説明】
【００２８】
１    使い捨ての体液吸収性着用物品（おむつ）
２    液透過性シート（トップシート）
２ａ    非対向面
２ｂ    対向面
３    液不透過性シート（バックシート）
４    芯材
４ａ    側縁
５    被覆シート
６    股下域
７    前胴周り域
８    後胴周り域
１１    両側部分
３１    表面
３２    裏面
３４    山部
３６    谷部
４１    中央域
４２    側域
４５    前端部
４６    後端部
８０    防漏堤
８１    内側縁部
８２    外側縁部
８３    前端部
８４    後端部
Ａ    前後方向
Ｂ    横方向
Ｃ    厚さ方向
【図１】
2010119460.tif 000003
【図２】
2010119460.tif 000004
【図３】
2010119460.tif 000005
【図４】
2010119460.tif 000006
【図５】
2010119460.tif 000007
【図６】
2010119460.tif 000008
【図７】
2010119460.tif 000009
【図８】
2010119460.tif 000010
【図９】
2010119460.tif 000011